(57)【要約】【課題】圧電素子の非線形性を反映した特性情報付与方法、及び、液体噴射装置を提供する。【解決手段】使用上想定される駆動電圧範囲における最小駆動電圧ＶｈＭｎと最大駆動電圧ＶｈＭｘをそれぞれ圧電素子に印加したときに実際に得られる変位量Ｄｘ１，Ｄｘ２に基づき、当該圧電素子の実質的な変位量特性を近似した一次関数の傾きを実質傾きとして取得し、基準傾きに対する実質傾きの比を求め、得られた比を当該圧電素子に固有の特性情報とした。【選択図】図５
2008302652.tif 000002
【特許請求の範囲】
【請求項１】
駆動信号の印加によって変形する圧電素子の特性情報付与方法であって、
印加電圧の変化に対し圧電素子の変位量が線形に変化するとの仮定に基づき、当該線形特性を表す一次関数の傾きを基準傾きとし、
使用上想定される駆動電圧範囲における最小駆動電圧と最大駆動電圧をそれぞれ圧電素子に印加したときに実際に得られる変位量に基づき、当該圧電素子の実質的な変位量特性を近似した一次関数の傾きを実質傾きとして取得し、
前記基準傾きに対する前記実質傾きの比を求め、
得られた比を当該圧電素子に固有の特性情報としたことを特徴とする圧電素子の特性情報付与方法。
【請求項２】
駆動電圧の印加による圧電素子の変形によって圧力室を膨張または収縮させることでノズル開口から液体を噴射する液体噴射ヘッドに適用される圧電素子の特性情報付与方法であって、
圧電素子への印加電圧の変化に対しノズル開口から噴射される液体の量が線形に変化するとの仮定に基づき、当該線形特性を表す一次関数の傾きを基準傾きとし、
使用上想定される駆動電圧範囲における最小駆動電圧と最大駆動電圧を圧電素子に印加したときにそれぞれノズル開口から実際に噴射される液体の量に基づき、当該圧電素子の実質的な噴射量特性を近似した一次関数の傾きを実質傾きとして取得し、
前記基準傾きに対する前記実質傾きの比を求め、
得られた比を当該圧電素子に固有の特性情報としたことを特徴とする圧電素子の特性情報付与方法。
【請求項３】
駆動信号の印加によって変位して圧力室内の液体に圧力変動を生じさせる圧電素子を有し、該圧電素子の作動によってノズル開口から液体を噴射する液体噴射ヘッドと、
前記圧電素子を駆動するための駆動信号を発生する駆動信号発生手段と、
を備える液体噴射装置であって、
請求項１又は請求項２に記載の圧電素子の特性情報付与方法によって得られた特性情報を記憶する特性情報記憶手段と、
前記特性情報記憶手段に記憶された特性情報に基づいて、前記駆動信号発生手段から発生する駆動信号の駆動電圧を補正する駆動電圧補正手段と、
を備えることを特徴とする液体噴射装置。
【請求項４】
前記駆動電圧補正手段は、現状設定されている駆動信号の駆動電圧をＶｈＴとし、圧電素子の特性情報をδとし、ｎ＞０としたとき、以下の式（１）に基づいて、駆動電圧ＶｈＴを補正することを特徴とする請求項３に記載の液体噴射装置。
【数１】
2008302652.tif 000010
【請求項５】
前記駆動電圧補正手段は、液体の噴射時における膨張動作又は収縮動作の基準となる圧力室の基準容積を維持するための駆動信号の中間電圧を、前記特性情報に基づいて補正することを特徴とする請求項３又は請求項４に記載の液体噴射装置。
【請求項６】
前記駆動電圧補正手段は、現状設定されている駆動信号の中間電圧をＶｃとし、ｎ＞０としたとき、特性情報δ及び以下の式（２）に基づいて、中間電圧を補正することを特徴とする請求項５に記載の液体噴射装置。
【数２】
2008302652.tif 000011
【請求項７】
液体噴射装置の使用環境における環境温度を検出する温度検出手段を備え、
前記駆動電圧補正手段は、前記温度検出手段によって検出された環境温度に基づいて前記駆動信号の中間電圧を設定した後、当該設定後の中間電圧を前記式（２）に基づいて補正することを特徴とする請求項６に記載の液体噴射装置。
【請求項８】
前記駆動電圧補正手段は、液体噴射装置の使用上で望ましい環境温度として定められた基準環境温度をＴｂとし、当該基準環境温度Ｔｂの下での使用を想定した駆動信号の基準電圧をＶｈＢとし、前記温度検出手段によって検出された環境温度をＴとし、駆動電圧に対する中間電圧を規定する係数をａ、中間電圧に関する温度補正係数をｂとしたときに、以下の式（３）に基づいて、中間電圧Ｖｃを補正することを特徴とする請求項７に記載の液体噴射装置。
【数３】
2008302652.tif 000012
【発明の詳細な説明】
【技術分野】
【０００１】
本発明は、インクジェット式プリンタ等の液体噴射装置に適用される圧電素子の特性情報付与方法、及び、その圧電素子を備える液体噴射装置に関するものであり、特に、圧電素子の非線形性を反映することが可能な特性情報付与方法、及び、液体噴射装置に関するものである。
【背景技術】
【０００２】
液体噴射装置は液体噴射ヘッドを備え、この液体噴射ヘッドから各種の液体を噴射する装置である。この液体噴射装置の代表的なものとして、例えば、液体噴射ヘッドとしてのインクジェット式記録ヘッド（以下、単に記録ヘッドという）を備え、この記録ヘッドから噴射対象物としての記録紙等に対して液体状のインクを吐出・着弾させてドットを形成することで記録を行うインクジェット式プリンタ（以下、単にプリンタという）等の画像記録装置を挙げることができる。この液体噴射装置は、近年においては、画像記録装置に限らず、例えばディスプレー製造装置等の各種の製造装置にも応用されている。
【０００３】
上記液体噴射ヘッドには、液体を噴射するための駆動源として圧電素子を備えたものがある。この圧電素子は、ＰＺＴ（ジルコン酸チタン酸鉛）からなる圧電材料と電極材料を積層して構成されており、駆動電極と共通電極との間に電圧を印加することによって、伸縮変形、或いは、撓み変形する。この圧電素子を、ノズル開口に連通する圧力室の一部を区画する振動板に接合し、駆動信号を印加して変形駆動させることによって振動板を変形させることができる。この振動板の変形によって圧力室の容積が変化して圧力室内のインクに圧力変動が生じ、この圧力変動を制御することによってノズル開口から液体を吐出（噴射）することができる。
【０００４】
そして、上記の圧電素子を駆動源として採用している液体噴射ヘッドでは、駆動信号の電圧値に応じて噴射される液体の量が増減するので、圧電素子を駆動するための駆動信号に対し最適な電圧値を設定することが行われている。
【０００５】
ところが、上記液体噴射ヘッドを搭載した液体噴射装置では、当該装置が設置される環境の温度（環境温度）が、液体の噴射特性に影響を及ぼす。例えば、環境温度が上昇すると、液体の一種であるインクは粘度が低くなって流動性が増大するので、ノズル開口からインクが噴射されやすくなる。このため、圧電素子に同一の駆動信号が印加されたとしても、環境温度が基準状態（例えば２５℃）よりも高い場合には、基準状態における場合よりも多量のインクがノズル開口から噴射されてしまう。
【０００６】
このように、使用する環境温度によって液体の噴射特性が変動してしまい、所望のインク滴をノズル開口から適切に噴射させることができない場合がある。このため、従来の液体噴射装置では、環境温度に応じて駆動信号の電圧を補正することにより、液体噴射特性（液体の噴射量、噴射速度、等）の安定化が図られている（例えば、特許文献１参照）。
【０００７】
【特許文献１】特開２０００−１５３６０８号公報
【発明の開示】
【発明が解決しようとする課題】
【０００８】
ところで、上記の圧電素子に関し、印加される電圧に対する機械的な変位量は、非線形性を有することが分っている。一般的に圧電素子の多くは、電圧が上昇するにしたがって、当該電圧に対する変位量の増加の割合が低下する特性を有している。従来では、変位量の特性が線形を示す範囲内の比較的低い電圧で圧電素子を駆動していたため、この非線形特性を考慮しなくても大きな支障は無かった。
【０００９】
しかしながら、近年では、圧電素子をより大きく変位させる必要性が生じてきたため、駆動信号の電圧値も従来より高く設定される場合がある。これにより、上記の非線形性が問題となってきた。即ち、この非線形特性を考慮せずに、一旦定められた駆動信号の電圧を上述のように環境温度に応じて補正した場合、当該補正後の駆動信号で駆動したときの圧電素子の変位量は、非線形特性に応じて最適値から変動してしまう。これにより、液体噴射ヘッドのノズル開口から噴射される液量が変動するという問題を抱えている。
【００１０】
本発明は、このような事情に鑑みてなされたものであり、その目的は、圧電素子の非線形性を反映した特性情報付与方法、及び、液体噴射装置を提供することにある。
【課題を解決するための手段】
【００１１】
本発明の圧電素子の特性情報付与方法は、上記目的を達成するために提案されたものであり、駆動信号の印加によって変形する圧電素子の特性情報付与方法であって、
印加電圧の変化に対し圧電素子の変位量が線形に変化するとの仮定に基づき、当該線形特性を表す一次関数の傾きを基準傾きとし、
使用上想定される駆動電圧範囲における最小駆動電圧と最大駆動電圧をそれぞれ圧電素子に印加したときに実際に得られる変位量に基づき、当該圧電素子の実質的な変位量特性を近似した一次関数の傾きを実質傾きとして取得し、
前記基準傾きに対する前記実質傾きの比を求め、
得られた比を当該圧電素子に固有の特性情報としたことを特徴とする。
【００１２】
上記構成によれば、使用上想定される駆動電圧範囲における最小駆動電圧と最大駆動電圧をそれぞれ圧電素子に印加したときに実際に得られる変位量に基づき、当該圧電素子の実質的な変位量特性を近似した一次関数の傾きを実質傾きとして取得し、基準傾きに対する実質傾きの比を求め、得られた比を当該圧電素子に固有の特性情報としたので、圧電素子を駆動する際に、この圧電素子に固有の特性を反映した制御を行うことができる。例えば、当該圧電素子を液体噴射の駆動源とする液体噴射装置においては、この特性情報を液体噴射制御に反映させることにより、良好な噴射特性（噴射する液体の量、噴射速度など）を得ることが可能となる。
【００１３】
また、本発明の圧電素子の特性情報付与方法は、駆動電圧の印加による圧電素子の変形によって圧力室を膨張または収縮させることでノズル開口から液体を噴射する液体噴射ヘッドに適用される圧電素子の特性情報付与方法であって、
圧電素子への印加電圧の変化に対しノズル開口から噴射される液体の量が線形に変化するとの仮定に基づき、当該線形特性を表す一次関数の傾きを基準傾きとし、
使用上想定される駆動電圧範囲における最小駆動電圧と最大駆動電圧を圧電素子に印加したときにそれぞれノズル開口から実際に噴射される液体の量に基づき、当該圧電素子の実質的な噴射量特性を近似した一次関数の傾きを実質傾きとして取得し、
前記基準傾きに対する前記実質傾きの比を求め、
得られた比を当該圧電素子に固有の特性情報としたことを特徴とする。
【００１４】
上記構成によれば、使用上想定される駆動電圧範囲における最小駆動電圧と最大駆動電圧を圧電素子に印加したときにそれぞれノズル開口から実際に噴射される液体の量に基づき、当該圧電素子の実質的な噴射量特性を近似した一次関数の傾きを実質傾きとして取得し、基準傾きに対する前記実質傾きの比を求め、得られた比を当該圧電素子に固有の特性情報としたので、当該圧電素子を備える液体噴射ヘッドを搭載する液体噴射装置では、この圧電素子に固有の特性情報を液体噴射制御に反映させることにより、良好な噴射特性を得ることが可能となる。
【００１５】
また、本発明の圧電素子の液体噴射装置は、駆動信号の印加によって変位して圧力室内の液体に圧力変動を生じさせる圧電素子を有し、該圧電素子の作動によってノズル開口から液体を噴射する液体噴射ヘッドと、
前記圧電素子を駆動するための駆動信号を発生する駆動信号発生手段と、
を備える液体噴射装置であって、
上記特性情報付与方法によって得られた特性情報を記憶する特性情報記憶手段と、
前記特性情報記憶手段に記憶された特性情報に基づいて、前記駆動信号発生手段から発生する駆動信号の駆動電圧を補正する駆動電圧補正手段と、
を備えることを特徴とする。
【００１６】
この構成によれば、特性情報付与方法によって得られた特性情報を記憶する特性情報記憶手段と、特性情報記憶手段に記憶された特性情報に基づいて、駆動信号発生手段から発生する駆動信号の駆動電圧を補正する駆動電圧補正手段と、を備えるので、この特性情報を駆動信号の駆動電圧の補正に反映させることにより、良好な噴射特性（噴射する液体の量、噴射速度など）を得ることが可能となる。
【００１７】
上記構成において、現状設定されている駆動信号の駆動電圧をＶｈＴとし、ノズル群毎に対応する各圧電素子の特性情報の平均値をδとし、ｎ＞０としたとき、駆動電圧補正手段は、以下の式（１）に基づいて、駆動電圧ＶｈＴを補正する構成とすることが望ましい。
【数１】
2008302652.tif 000003
【００１８】
また、上記構成において、前記駆動電圧補正手段は、液体の噴射時における膨張動作又は収縮動作の基準となる圧力室の基準容積を維持するための駆動信号の中間電圧を、前記特性情報に基づいて補正する構成を採用することが望ましい。
【００１９】
なお、上記構成において、前記駆動電圧補正手段は、現状設定されている駆動信号の中間電圧をＶｃとし、ｎ＞０としたとき、特性情報δ及び以下の式（２）に基づいて、中間電圧を補正することが望ましい。
【数２】
2008302652.tif 000004
【００２０】
この構成によれば、駆動電圧補正手段が、特性情報に基づいて中間電圧を補正するので、噴射直後の液体の振動（残留振動）を抑制するための制振波形要素が駆動信号に含まれている構成では、液体噴射時の圧力変動の大きさに対する制振時の圧力変動の大きさのバランスを適切に設定することが可能となる。
【００２１】
また、上記構成において、液体噴射装置の使用環境における環境温度を検出する温度検出手段を備え、
前記駆動電圧補正手段は、前記温度検出手段によって検出された環境温度に基づいて前記駆動信号の中間電圧を設定した後、当該設定後の中間電圧を前記式（２）に基づいて補正する構成を採用することが望ましい。
【００２２】
この構成によれば、駆動電圧補正手段は、温度検出手段によって検出された環境温度に基づいて駆動信号の中間電圧を補正した後、当該補正後の中間電圧を特性情報に基づいてさらに補正するので、液体噴射装置を使用する際の環境温度が基準環境温度から変動した場合においても、圧電素子の固有の特性を補正に反映しつつ最適な中間電圧に設定することができる。
【００２３】
なお、上記構成において、前記駆動電圧補正手段は、液体噴射装置の使用上で望ましい環境温度として定められた基準環境温度をＴｂとし、当該基準環境温度Ｔｂの下での使用を想定した駆動信号の基準電圧をＶｈＢとし、前記温度検出手段によって検出された環境温度をＴとし、駆動電圧に対する中間電圧を規定する係数をａ、中間電圧に関する温度補正係数をｂとしたときに、以下の式（３）に基づいて、中間電圧Ｖｃを補正することが望ましい。
【数３】
2008302652.tif 000005
なお、「基準電圧」とは、一定の条件下（環境温度など）で圧電素子を実際に作動させる上で必要としている変位量を得るための駆動電圧を意味する。
【発明を実施するための最良の形態】
【００２４】
以下、本発明を実施するための最良の形態を、添付図面を参照して説明する。なお、以下に述べる実施の形態では、本発明の好適な具体例として種々の限定がされているが、本発明の範囲は、以下の説明において特に本発明を限定する旨の記載がない限り、これらの態様に限られるものではない。また、以下においては、本発明の液体噴射装置として、図１に示すインクジェット式プリンタ（以下、プリンタと略記する）を例示する。
【００２５】
プリンタ１は、液体噴射ヘッドの一種である記録ヘッド２が取り付けられると共に、インクカートリッジ３が着脱可能に取り付けられるキャリッジ４と、記録ヘッド２の下方に配設されたプラテン５と、記録ヘッド２が搭載されたキャリッジ４を記録紙６（吐出対象物あるいは噴射対象物の一種）の紙幅方向に移動させるキャリッジ移動機構７と、ヘッド移動方向に直交する方向である紙送り方向に記録紙６を搬送する紙送り機構８等を備えて概略構成されている。ここで、紙幅方向とは、主走査方向であり、紙送り方向とは、副走査方向である。なお、インクカートリッジ３としては、キャリッジ４に装着するタイプでも、或いはプリンタ１の筐体側に装着してインク供給チューブを介して記録ヘッド２に供給するタイプでもよい。
【００２６】
キャリッジ４は、主走査方向に架設されたガイドロッド９に軸支された状態で取り付けられており、キャリッジ移動機構７の作動により、ガイドロッド９に沿って主走査方向に移動するように構成されている。キャリッジ４の主走査方向の位置は、リニアエンコーダ１０によって検出され、検出信号が位置情報としてプリンタコントローラ（図示せず）に送信される。これにより、プリンタコントローラはこのリニアエンコーダ１０からの位置情報に基づいてキャリッジ４の走査位置を認識しながら、記録ヘッド２による記録動作（インクの噴射動作）等を制御することができる。
【００２７】
また、記録ヘッド２の移動範囲内であってプラテン５よりも外側には、記録ヘッド２の走査起点となるホームポジションが設定してある。このホームポジションには、キャッピング機構１１が設けられている。このキャッピング機構１１は、キャップ部材１１´によって記録ヘッド２のノズル面を封止し、ノズル開口２８（図２参照）からのインク溶媒の蒸発を防止する。また、このキャッピング機構１１は、封止状態のノズル面に負圧を与えてノズル開口２８からインクを強制的に吸引排出するクリーニング動作に用いられる。
【００２８】
図２は、上記記録ヘッド２の構成を説明する部分断面図である。この記録ヘッド２は、ケース１２と、このケース１２内に収納されるアクチュエータユニット１３と、ケース１２の底面（先端面）に接合される流路ユニット１４等を備えている。上記のケース１２は、例えば、エポキシ系樹脂により作製され、その内部にはアクチュエータユニット１３を収納するための収納空部１５が形成されている。アクチュエータユニット１３は、櫛歯状に切り分けられた複数の圧電素子１６（圧力発生手段）と、この圧電素子１６が接合される固定板１７とを備えている。本実施形態における記録ヘッド２は、後述するように、合計４色のインクを吐出（噴射）可能に構成されており、各色に対応させて合計４列のノズル列（ノズル群の一種）がノズルプレート２２に形成されている。そして、記録ヘッド２は、各ノズル列に対応して上記アクチュエータユニット１３を合計４つ搭載している。
【００２９】
アクチュエータユニット１３の各圧電素子１６には、フレキシブルケーブル１８が接続されており、駆動信号発生回路４３（図３参照）からの駆動信号がこのフレキシブルケーブル１８を通じて供給されるようになっている。なお、本実施形態における圧電素子１６は、電界方向に直交する方向に変位する所謂縦振動モードの圧電素子であり、駆動信号が供給されると圧電体及び電極の積層方向とは直交する方向に変位（伸縮）する。この圧電素子１６の詳細については後述する。
【００３０】
流路ユニット１４は、流路形成基板２１の一方の面にノズルプレート２２を、流路形成基板２１の他方の面に振動板２３を、それぞれ接合して構成されている。この流路ユニット１４には、リザーバ２４と、インク供給口２５と、圧力室２６と、ノズル連通口２７と、ノズル開口２８とが設けられている。そして、インク供給口２５、圧力室２６及びノズル連通口２７を経てノズル開口２８に至る一連のインク流路が、ノズル開口２８毎に対応して形成されている。
【００３１】
上記ノズルプレート２２は、ドット形成密度に対応したピッチ（例えば３６０ｄｐｉ）で複数のノズル開口２８を列状に穿設した金属製の薄いプレートである。本実施形態では、このノズルプレート２２をステンレス製の板材によって構成し、ノズル開口２８の列を複数設けている。そして、１つのノズル列は、例えば３６０個のノズル開口２８によって構成される。そして、本実施形態における記録ヘッド２は、夫々異なる色のインク（本発明における液体の一種）、具体的には、シアン（Ｃ）、マゼンタ（Ｍ）、イエロー（Ｙ）、ブラック（Ｋ）の合計４色のインクを貯留する４つのインクカートリッジ３を装着可能に構成されており、これらの色に対応させて合計４列のノズル列がノズルプレート２２に形成されている。
【００３２】
上記振動板２３は、支持板２９の表面に弾性体膜３０を積層した二重構造である。本実施形態では、金属板の一種であるステンレス板を支持板２９とし、この支持板２９の表面に樹脂フィルムを弾性体膜３０としてラミネートした複合板材を用いて振動板２３を作製している。この振動板２３には、圧力室２６の容積を変化させるダイヤフラム部３１と、リザーバ２４の一部を封止するコンプライアンス部３２とが設けられている。
【００３３】
上記のダイヤフラム部３１は、エッチング加工等によって支持板２９を部分的に除去することで作製される。即ち、このダイヤフラム部３１は、圧電素子１６の先端面が接合される島部３３と、この島部３３を囲む薄肉弾性部３４とからなる。上記のコンプライアンス部３２は、リザーバ２４の開口面に対向する領域の支持板２９を、ダイヤフラム部３１と同様にエッチング加工等によって除去することにより作製され、リザーバ２４に貯留されたインクの圧力変動を吸収するダンパーとして機能する。
【００３４】
そして、上記の島部３３には圧電素子１６の先端面が接合されているので、この圧電素子１６の自由端部を伸縮させることで圧力室２６の容積を変動させることができる。この容積変動に伴って圧力室２６内のインクに圧力変動が生じる。そして、記録ヘッド２は、この圧力変動を利用してノズル開口２８からインク滴を噴射させる。
【００３５】
図３は、プリンタ１の電気的な構成を示すブロック図である。本実施形態におけるプリンタ１は、プリンタコントローラ３５とプリントエンジン３６とで概略構成されている。プリンタコントローラ３５は、ホストコンピュータ等の外部装置からの印刷データ等が入力される外部インタフェース（外部Ｉ／Ｆ）３７と、各種データ等を記憶するＲＡＭ３８と、各種制御のための制御プログラム等を記憶したＲＯＭ３９と、ＥＥＰＲＯＭやフラッシュＲＯＭ等からなる不揮発性記憶素子４０と、ＲＯＭ３９に記憶されている制御プログラムに従って各部の統括的な制御を行う制御部４１と、クロック信号を発生する発振回路４２と、記録ヘッド２へ供給する駆動信号を発生する駆動信号発生回路４３（駆動信号発生手段の一種）と、印刷データをドット毎に展開することで得られたドットパターンデータや駆動信号等を記録ヘッド２に出力するための内部インタフェース（内部Ｉ／Ｆ）４４とを備えている。
【００３６】
プリントエンジン３６は、記録ヘッド２と、キャリッジ移動機構７と、紙送り機構８と、リニアエンコーダ１０とから構成されている。記録ヘッド２は、ドットパターンデータがセットされるシフトレジスタ４６と、シフトレジスタ４６にセットされたドットパターンデータをラッチするラッチ回路４７と、ラッチ回路４７からのドットパターンデータを翻訳してパルス選択データを生成するデコーダ４８と、電圧増幅器として機能するレベルシフタ４９と、圧電素子１６に対する駆動信号の供給を制御するスイッチ回路５０と、圧電素子１６とを備えている。また、この記録ヘッド２には、サーミスタ及びＡ／Ｄ変換器等で構成される温度検出回路４５が設けられている。この温度検出回路４５は、本発明における温度検出手段として機能し、記録ヘッド２の周辺の環境温度を検出し、検出した温度に比例した大きさの信号を制御部４１に出力するように構成されている。
【００３７】
上記の駆動信号発生回路４３は、予め定められた波形の駆動信号ＣＯＭを発生する。本実施形態におけるプリンタ１は、液量の異なるインク滴を吐出することで大きさの異なるドットを記録紙に形成する多階調記録が可能であり、大ドット、中ドット、小ドット、及び非記録の４階調での記録動作が可能に構成されている。そして、駆動信号発生回路４３は、例えば図４に示すように、吐出パルスＤＰ１、吐出パルスＤＰ２、吐出パルスＤＰ３、及び、非記録時にメニスカスを微振動させるための微振動パルスＤＰ４を一連に接続して構成される駆動信号ＣＯＭを発生する。
【００３８】
図４に例示した駆動信号ＣＯＭは、テキスト印字等の比較的高速な記録に用いられる駆動信号であり、吐出パルスＤＰ１〜ＤＰ３は、何れも同一の波形となっている。そして、例えば、吐出パルスＤＰ２のみを圧電素子１６に供給することで、記録紙６上に小ドットが形成されるようになっている。また、同様に、吐出パルスＤＰ１及びＤＰ３の２つのパルスを圧電素子１６に供給することで中ドットが形成され、吐出パルスＤＰ１、ＤＰ２、及びＤＰ３の３つのパルスを圧電素子１６に供給することで大ドットが形成されるように構成されている。さらに、ドットを形成しない非記録時には、微振動パルスＶＰ４が圧電素子１６に供給され、これによりインク滴が吐出されない程度にノズル開口２８に露出したメニスカスが微振動する。そして、この駆動信号ＣＯＭは、記録ヘッド２に搭載されている各アクチュエータユニット１３に対して共通に用いられる。
【００３９】
次に、上記吐出パルスについて説明する。本実施形態における吐出パルスは、基準電位ＶＢから最高電位ＶＨまで電位を上昇させる第１充電要素Ｐ１と、最高電位ＶＨを所定時間維持する第１ホールド要素Ｐ２と、最高電位ＶＨから最低電位ＶＬまで比較的急峻な勾配で電位を降下させる放電要素Ｐ３と、最低電位ＶＬを極く短い時間維持する第２ホールド要素Ｐ４と、最低電位ＶＬから中間電位ＶＭまで僅かに電位を上昇させる第２充電要素Ｐ５と、中間電位ＶＭを所定時間維持する第３ホールド要素Ｐ６と、中間電位ＶＭから基準電位ＶＢまで電位を復帰させる第３充電要素Ｐ７とにより構成されている。また、この吐出パルスは、第１充電要素Ｐ１、第１ホールド要素Ｐ２、及び放電要素Ｐ３からなる吐出波形要素と、第２ホールド要素Ｐ４、第２充電要素Ｐ５、第３ホールド要素Ｐ６、及び第３充電要素Ｐ７からなる制振波形要素との２つの波形要素に大別することができる。即ち、吐出波形要素は、ノズル開口２８からインクを吐出させるべく圧力室２６を膨張及び伸縮させるための波形要素であり、制振波形要素は、インク滴を吐出した後のメニスカスの残留振動を抑制させるべく圧力室２６を基準電位ＶＢに対応する基準容積に復帰させるための波形要素である。
【００４０】
上記の吐出パルスが圧電素子１６に供給されると次のように作用する。まず、第１充電要素Ｐ１が供給されて圧電素子１６が収縮すると、圧力室２６が基準電位ＶＢで規定される基準容積（インク吐出時における圧力室の膨張又は収縮の基準となる容積）から最大容積に膨張する。そして、第１ホールド要素Ｐ２により圧力室２６が最大容積に一定時間維持された後、放電要素Ｐ３が供給されることにより圧電素子１６が伸長して圧力室２６が急激に収縮する。この圧力室２６の一連の容積変動に伴って圧力室２６内のインクに圧力変動が生じ、大ドットを形成し得る量のインクがノズル開口２６から吐出される。その後、第２ホールド要素Ｐ４、第２充電要素Ｐ５、第３ホールド要素Ｐ６、及び、第３充電要素Ｐ７が圧電素子１６に順次供給され、インク滴の吐出に伴うメニスカスの残留振動を短時間で収束させるべく、圧力室２６が基準容積に復帰する。即ち、第２充電要素Ｐ５及び第３充電要素Ｐ７は、インク滴吐出後の残留振動によってメニスカスが圧力室２６とは反対側（ヘッドの外側）に押し出されるタイミングで圧電素子１６に印加される。これにより、当該タイミングで圧力室２６が膨張して圧力室内のインクの圧力が負圧化されるため、メニスカスの残留振動が相殺（制振）される。この制振を行うための圧力変動の強さは、吐出パルスの中間電圧Ｖｃ（最低電位ＶＬから基準電位ＶＢまでの電位差）によって規定される。
【００４１】
また、上記吐出パルスＤＰ１〜ＤＰ３を供給することで吐出されるインク滴の液量や飛翔速度は、各吐出パルスの形状や駆動電圧ＶｈＴ（最低電位ＶＬから最高電位ＶＨまでの電位差）の大きさで規定される。ところが、同じ駆動電圧で圧電素子１６を駆動した場合においても、環境温度の変化によってインクの粘度が変化し、これに伴って液量や飛翔速度も変動してしまう。そのため、プリンタを使用する上の基準となる環境温度（例えば、２５℃）の下で全ノズル開口２８から吐出されるインク滴について平均して目標となる液量（設計液量）が得られるように、駆動信号ＣＯＭの吐出パルスの駆動電圧ＶｈＴとして基準電圧ＶｈＢが予め定められている。即ち、この基準電圧ＶｈＢは、一定の条件下で圧電素子１６を実際に作動させる上で必要としている変位量を得るための駆動電圧である。そして、プリンタ１では、環境温度に応じて駆動電圧ＶｈＴを補正するようにしている。即ち、環境温度が基準環境温度よりも上昇した場合、駆動電圧ＶｈＴを基準電圧ＶｈＢよりも低く設定する一方、環境温度が基準環境温度よりも下降した場合、駆動電圧ＶｈＴを基準電圧ＶｈＢよりも高く設定する。
【００４２】
図５は、印加電圧、即ち、圧電素子に印加する吐出パルスの駆動電圧ＶｈＴに応じた圧電素子の変位量を例示したグラフである。同図において、破線で示すＣｉは、印加電圧の変化に対し圧電素子の変位量が線形に変化する理想的（仮想的）な特性を示している。これに対し、実線で示すＣｘは、印加電圧の変化に対して実際に得られる圧電素子の変位量（実質変位量）の特性を示している。このＣｘに見られるように、一般的な圧電素子は、駆動電圧が上昇するにつれて当該駆動電圧に対する変位量の増加の割合が少なくなる傾向、即ち、非線形特性を有している。従来では、変位量の特性が線形を示す範囲（図においてＡで示す範囲）の駆動電圧で圧電素子を駆動していたが、本実施形態では変位量の特性が非線形となる範囲（図においてＢで示す範囲）の駆動電圧で圧電素子１６を駆動する。このため、上記プリンタ１でのインク滴吐出制御において、この圧電素子の非線形特性を反映させる必要がある。
【００４３】
そこで、本実施形態では、プリンタ１の製造工程において記録ヘッド２に搭載する圧電素子１６の特性検査を行い、得られた特性を特性情報として当該圧電素子１６（アクチュエータユニット１３）に付与し、この特性情報を記録ヘッド２によるインク噴射制御に反映するようにしている。より具体的には、圧電素子１６に駆動電圧を印加して当該圧電素子１６の変位量を測定し、測定結果に基づいて圧電素子１６の実質的な変位量特性を近似した一次関数の傾きを実質傾きとして求め、この実質傾きと、後述する基準傾きとの比を求め、得られた比（傾き比δ）を圧電素子１６に固有の特性情報とする。さらに、この特性情報に基づき、記録ヘッド２に搭載するアクチュエータユニット１３の組み合わせも行われる。
【００４４】
本実施形態における特性検査はアクチュエータユニット単位で行われ、上記吐出パルスを検査用吐出パルスとして用いて圧電素子１６を駆動したときの変位量（実質変位量）をそれぞれ測定する。この際、上記検査用吐出パルスの駆動電圧を、使用上想定される駆動電圧範囲における最小駆動電圧と最大駆動電圧に設定して測定を行う。即ち、図５におけるＢで示す範囲の最小駆動電圧であるＶｈＭｎに設定された第１の検査用吐出パルスと、同じくＢで示す範囲の最高駆動電圧であるＶｈＭｘに設定された第２の検査用吐出パルスを用いてそれぞれ変位量の測定を行う。圧電素子１６の変位量の測定方法としては、例えば、カメラを用いて測定する方法や、圧電素子１６の伸縮動作時の静電容量の変化を利用する方法などの種々の方法を採用することができる。なお、上記の検査用吐出パルスの駆動電圧に関しては、実使用電圧の範囲における最小駆動電圧と最高駆動電圧には限らず、実使用電圧の範囲内の任意の２点の電圧を選んでも良い。
【００４５】
まず、第１の検査用吐出パルスを圧電素子１６に印加することで第１の実質変位量Ｄｘ１を測定し、また、第２の検査用吐出パルスを圧電素子１６に印加することで第２の実質変位量Ｄｘ２を測定する。続いて、測定結果に基づいて一次関数の傾き（実質傾き）を求める。即ち、図５の例の場合、（Ｄｘ２−Ｄｘ１）／（ＶｈＭｘ−ＶｈＭｎ）を計算することで実質傾きＳｘを求める。続いて、基準傾きＳｉに対する実質傾きＳｘの比（傾き比）δ（＝Ｓｘ／Ｓｉ）を求める。この基準傾きＳｉは、図５においてＣｉで示す理想的な特性において、最小駆動電圧ＶｈＭｎ及び最高駆動電圧ＶｈＭｘと、これらに対応する変位量Ｄｉ１及びＤｉ２とから算出される傾きである。なお、この傾き比δをそのまま当該圧電素子（アクチュエータユニット）の特性情報としてもよいが、本実施形態においては、図６に示す換算テーブルに基づいてランク分けを行う。
【００４６】
例示した換算テーブルは、傾き比δ×１００（％）の下限値４０％から上限値１００％までを５％毎に区切って合計１２の範囲（ランク）に分割し、特性検査で得られた傾き比δがどの範囲の値を採るかに応じて４０〜９５％（５％おき）の何れかの換算後δ′に換算すると共に、ＱＲコード用のＡ〜Ｌの何れかのキャラクタを当てはめるようになっている。例えば、特性検査で得られた傾き比δが０．７３（７３％）であった場合、このδは７０％以上７５％未満の値であるので、換算後δ′として「７０」が設定されると共に、この換算後δ′に対応するＱＲコード用キャラクタとして「Ｇ］が当てはめられる。このようにして、アクチュエータユニット毎に換算後δ′と、これに対応するＱＲコード用キャラクタが付与される。
【００４７】
以上のようにして、アクチュエータ毎に特性検査を行って特性情報を取得したならば、記録ヘッド２に搭載するためのアクチュエータユニット１３の組み合わせを行う。この組み合わせ工程では、特性情報である傾き比δ（換算後δ′）に基づいて、アクチュエータユニット１３の組み合わせを決定する。本実施形態における記録ヘッド２は、同一傾き比δを持つ４つのアクチュエータユニットが組み合わされて搭載される。これにより、各アクチュエータユニット１３の特性を同程度に揃えることができる。その結果、各アクチュエータユニット１３で共通の駆動信号ＣＯＭを用いてインク滴の噴射制御を行う構成において、ノズル列間の液量のばらつきを可及的に低減することができ、その結果、記録画像の高画質化を図ることが可能となる。
【００４８】
なお、各アクチュエータユニット１３の特性情報（傾き比δ）に対応するキャラクタは、ＱＲコードに変換されてシール等に印刷され、このシールは記録ヘッド２の側面等に貼付される。そして、記録ヘッド２をプリンタ１に搭載する際にこのシールに印刷されたＱＲコードが読み込まれて、その内容（キャラクタデータ）が上記不揮発性記憶素子４０に記憶される。
【００４９】
次に、プリンタ１における駆動信号（吐出パルス）の駆動電圧の補正処理について説明する。この駆動電圧の補正処理の実行タイミングに関し、プリンタ１の電源が投入される毎に実行するようにしても良いし、一定時間毎、又は、ユーザによる補正指示入力に応じて実行するようにしても良い。
【００５０】
駆動電圧の補正処理に移行すると、まず、環境温度に応じて駆動電圧ＶｈＴが補正（再設定）される。本実施形態においては、制御部４１が本発明における駆動電圧補正手段として機能し、温度検出回路４５によって検出された環境温度を取得する。ここで、制御部４１は、基準環境温度Ｔｂの下での使用を想定した駆動信号の基準電圧をＶｈＢとし、温度検出回路４５によって検出された環境温度をＴとし、圧電素子１６の温度補正係数をＣとしたときに、以下の式（Ａ）に基づいて、駆動電圧ＶｈＴを再設定する。
【数４】
2008302652.tif 000006
【００５１】
このように環境温度に応じて駆動信号（吐出パルス）の駆動電圧を補正することで、プリンタ１を使用する際の環境温度が変わった場合においても、この温度の変化に応じて適切な駆動電圧に設定することができる。しかしながら、この補正は、圧電素子１６の上記特性が線形であることを前提としているため、一旦定められた駆動信号の電圧値（基準電圧をＶｈＢ）を上述のように環境温度に応じて補正した場合、補正後の駆動信号で駆動したときの圧電素子１６の変位量は、非線形特性に応じて最適値から変動してしまう。このため、制御部４１は、環境温度に基づいて駆動電圧を補正した後、当該補正後の駆動電圧（現状の駆動電圧）を上記の特性情報に基づいてさらに補正する。
【００５２】
この補正処理において制御部４１は、不揮発性記憶素子４０に記憶されているキャラクタデータを読み出してこれを変換することで圧電素子１６（アクチュエータユニット１３）の特性情報（本実施形態の場合、換算後δ′）を取得し、以下の式（Ｂ）に基づいて、駆動電圧ＶｈＴを補正する。但し、ｎ＞０、δ＝δ′／１００である。
【数５】
2008302652.tif 000007
【００５３】
ここで、図７は、特性情報（傾き比δ（０＜δ≦１）の値と、補正後の駆動電圧ＶｈＴ′の関係を示したグラフである。なお、同図では、補正前の駆動電圧ＶｈＴを５（Ｖ）とし、上記式（Ｂ）のｎを上記条件における任意の異なる３点（０＜α＜β＜γ）に設定して補正を行った場合の結果を例示している。なお、上記式（Ｂ）のｎについては、α，β，γに設定して補正した後の各駆動電圧で駆動した場合の変位量をそれぞれ測定し、目標変位量に最も近くなる値をｎとして決定する。一旦決定したｎは変位量比δの測定電圧、圧電素子１６や記録ヘッド２の構造や製造条件に変化がない場合はその値を継続的に適用することができる。条件に変化が生じた場合には、ｎを再決定する必要がある。
【００５４】
図７に示すように、傾き比δが１に近いほど、つまり実質傾きが基準傾きに近いほど、補正前と補正後の駆動電圧の差が小さくなる（補正後の駆動電圧が補正前の駆動電圧に近くなる）のに対し、傾き比δが１よりも小さくなるほど、つまり実質傾きが基準傾きよりも小さくなるほど、補正前と補正後の駆動電圧の差が大きくなる（補正後の駆動電圧が補正前の駆動電圧よりも高くなる）ことが分る。したがって、実質傾きが基準傾きよりも小さいときには、これを補うべく駆動電圧がより高く補正される。このようにして駆動電圧ＶｈＴの補正処理が終了したならば、補正後の駆動電圧ＶｈＴ′を、以降の駆動信号の駆動電圧ＶｈＴとして設定する。
【００５５】
上記補正は、駆動信号の駆動電圧ＶｈＴ、即ち、最低電位から最高電位までの電位差を変更するものである。ところが、この補正に伴ってＶｈＴに対するＶｃの割合が適正な状態からずれてしまう。つまり、ＶｈＴを上昇させる補正を行った場合、ＶｈＴに対するＶｃの割合が補正前よりも小さくなるため、インク滴吐出後のメニスカスの残留振動を十分に制振できず、この残留振動が次の吐出動作に悪影響を及ぼす可能性がある。このことに鑑み、制御部４１は、駆動電圧ＶｈＴの補正処理が終了したならば、次に、駆動信号の中間電圧Ｖｃの補正を行う。
【００５６】
まず、環境温度に応じて中間電圧Ｖｃが補正される。この中間電圧Ｖｃは、吐出波形要素によってインク滴が吐出された後のメニスカスの残留振動を効果的に抑制することができるよう、駆動電圧ＶｈＴ（詳しくは基準電圧ＶｈＢ）の大きさに応じて決定される。この際、基準電圧ＶｈＢに対する中間電圧Ｖｃを規定する係数が予め定められている（以下、係数ａ）。また、環境温度に応じても中間電圧Ｖｃの最適値が異なるため、この環境温度も考慮されて中間電圧Ｖｃが補正される。この中間電圧Ｖｃに関する温度補正係数をｂとする。そして、駆動電圧補正手段として機能する制御部４１は、温度検出回路４５によって検出された環境温度Ｔを取得して、以下の式（Ｃ）に基づいて、中間電圧Ｖｃを補正する。
【数６】
2008302652.tif 000008
【００５７】
このように環境温度に応じて駆動信号（吐出パルス）の中間電圧Ｖｃを補正することで、プリンタ１を使用する際の環境温度が変わった場合においても、この温度の変化に応じて適切な中間電圧Ｖｃに設定することができる。しかしながら、この補正においても、圧電素子１６の上記特性が線形であることを前提としているため、補正後の中間電圧Ｖｃは、非線形特性に応じて最適値からずれる可能性がある。このため、制御部４１は、環境温度に基づいて駆動電圧を補正した後、当該補正後の中間電圧Ｖｃ（現状の中間電圧Ｖｃ）を上記の特性情報に基づいてさらに補正する。
【００５８】
この補正処理において制御部４１は、不揮発性記憶素子４０に記憶されているキャラクタデータを読み出してこれを変換することで特性情報を取得し、以下の式（Ｄ）に基づいて、現状設定されている中間電圧Ｖｃを補正する。但し、ｎ＞０、δ＝δ′／１００である。
【数７】
2008302652.tif 000009
【００５９】
ここで、図８は、上記式（Ｄ）による補正前の中間電圧Ｖｃと、補正後の中間電圧Ｖｃ（Ｖｃ′）の関係を示したグラフであり、（ａ）は特性情報δが０．５（５０％）であった場合、（ｂ）は特性情報δが０．９（９０％）であった場合をそれぞれ示している。なお、同図では、中間電圧Ｖｃを駆動電圧ＶｈＴに対する割合で示している。また、上記式（Ｄ）のｎを上記条件における任意の異なる３点（α＜β＜γ）に設定して補正を行った場合の結果を示している。同図に示すように、補正前の中間電圧Ｖｃの値に応じて補正後の中間電圧Ｖｃの値の大きさが変わってくる。即ち、補正前の中間電圧Ｖｃの値が小さいほど補正前の値に対する補正後の値の上昇率が大きくなる（補正前の値と補正後の値との差が大きくなる）のに対し、補正前の中間電圧Ｖｃの値が大きいほど補正前の値に対する補正後の値の上昇率が小さくなる（補正前の値と補正後の値との差が小さくなる）。また、傾き比δが１よりも小さくなるほど、つまり実質傾きが基準傾きよりも小さくなるほど、補正前と補正後の中間電圧Ｖｃの値の差が大きくなる傾向にあるのに対し、傾き比δが１に近いほど、つまり実質傾きが基準傾きに近いほど、補正前と補正後の中間電圧Ｖｃの値の差が小さくなる傾向にある。
【００６０】
以上のように、使用上想定される駆動電圧範囲における最小駆動電圧と最大駆動電圧をそれぞれ圧電素子１６に印加したときに実際に得られる変位量に基づいて実質傾きを取得し、基準傾きに対する実質傾きの比δを求め、得られた傾き比δを当該圧電素子１６に固有の特性情報としたので、圧電素子１６を駆動する際に、この圧電素子１６に固有の特性を反映した制御を行うことができる。即ち、この圧電素子１６をインク噴射の駆動源とするプリンタ１においては、この特性情報を吐出制御（噴射制御）に反映させることにより、良好な吐出特性（吐出するインクの量、吐出速度など）を得ることが可能となる。
【００６１】
また、制御部４１は、駆動信号（吐出パルス）の中間電圧Ｖｃを、特性情報に基づいて補正するので、吐出直後のインク（メニスカス）の振動を抑制するための制振波形要素が駆動信号に含まれている構成では、インク吐出時の圧力変動の大きさに対する制振時の圧力変動の大きさのバランスを適切に設定することが可能となる。その結果、駆動電圧ＶｈＴを補正した場合においても、インク吐出後のメニスカスの残留振動を効果的に抑制することができ、良好な吐出特性を維持することが可能となる。
【００６２】
なお、本発明は、上記した実施形態に限定されるものではなく、特許請求の範囲の記載に基づいて種々の変形が可能である。
【００６３】
例えば、上記特性検査では、圧電素子１６の実質的な変位量特性を近似した一次関数の実質傾きと基準傾きとの比を求め、この傾き比δを特性情報としたが、これには限らない。例えば、圧電素子１６への印加電圧の変化に対しノズル開口２８から噴射されるインクの量が線形に変化する仮想的（理想的）な線形特性を表す一次関数の傾きを基準傾きとし、第１の検査用吐出パルスと第２の検査用吐出パルスを圧電素子１６に印加したときにそれぞれノズル開口２８から実際に吐出されるインク滴の量に基づいて圧電素子１６の実質的な噴射量特性（噴射量特性）を近似した一次関数の傾き（実質傾き）を取得し、基準傾きに対する実質傾きの比を求め、この比を当該圧電素子１６に固有の特性情報とする構成を採用しても良い。この構成においても、この特性情報を用いて駆動電圧ＶｈＴを補正することにより、上記実施形態と同様の作用効果を得ることができる。
【００６４】
また、上記実施形態では、アクチュエータユニット毎に特性検査を行い、その結果に基づいて個々に特性情報を付与する構成を例示したが、これには限られない。この種のアクチュエータユニット（詳しくは、個々の圧電素子に分割する前の振動子基材）は、１つのウェハを複数に分割することによって得られるが、各々の特性はウェハ上の位置に応じて異なる。即ち、ウェハの外側に位置するアクチュエータユニットほど傾き比δが小さく、ウェハの中心側に位置するアクチュエータユニットほど傾き比δが大きくなる（理想的な特性に近づく）傾向にあることが分っている。そのため、図９のウェハ上におけるアクチュエータユニット（１〜９０）の分布図に示すように、例えば、ウェハの中心領域、ウェハの外側領域、及び、中心領域と外側領域の間の中間領域などのようにウェハを複数の領域に区分し、それぞれの領域に上記の傾向に基づいて傾き比δをそれぞれ割り当て、それぞれの領域に位置するアクチュエータユニットに対し当該領域に割り当てられている傾き比δを特性情報として付与する構成を採ることも可能である。図９の例では、ウェハの外側領域Ａには傾き比δとして５０（％）を、ウェハの中間領域Ｂには傾き比δとして７０（％）を、ウェハの中心領域Ｃには傾き比δとして９０（％）を、それぞれ割り当てている。これにより、アクチュエータユニット毎に特性検査を行う手間が省け、アクチュエータユニットに対して特性情報を容易に付与することができる。
【００６５】
さらに、上記実施形態では、複数の圧電素子１６を備えてユニット化されたアクチュエータユニット１３毎に特性情報を付与する構成を例示したが、これには限らず、例えば、圧力室毎に個別に設けられる所謂撓み振動モードの圧電素子など、圧電素子がユニット化されていない場合には、個々の圧電素子にそれぞれ特性情報を付与する構成を採用することもできる。
【００６６】
また、本発明は、上記プリンタ以外の液体噴射装置にも適用できる。例えば、ディスプレー製造装置、電極製造装置、チップ製造装置等にも適用することができる。
【図面の簡単な説明】
【００６７】
【図１】プリンタの構成を説明する斜視図である。
【図２】記録ヘッドの構成を説明する要部断面図である。
【図３】プリンタの電気的構成を説明するブロック図である。
【図４】駆動信号の構成を説明する図である。
【図５】駆動電圧に応じた圧電素子の変位量を例示したグラフである。
【図６】変位量比に関する換算テーブルの例である。
【図７】変位量比の値と補正後の駆動電圧の関係を示したグラフである。
【図８】補正前の中間電圧と補正後の中間電圧との関係を示したグラフである。
【図９】ウェハ上におけるアクチュエータユニットの分布図である。
【符号の説明】
【００６８】
１…プリンタ，２…記録ヘッド，４…キャリッジ，１３…アクチュエータユニット，１６…圧電素子，４０…不揮発性記憶素子，４１…制御部，４３…駆動信号発生回路，４５…温度検出回路
【図１】
2008302652.tif 000013
【図２】
2008302652.tif 000014
【図３】
2008302652.tif 000015
【図４】
2008302652.tif 000016
【図５】
2008302652.tif 000017
【図６】
2008302652.tif 000018
【図７】
2008302652.tif 000019
【図８】
2008302652.tif 000020
【図９】
2008302652.tif 000021